(57)【要約】【課題】二次転写部材と中間転写ベルトとの間に厚紙が突入する際の中間転写ベルトの速度変動を抑制することができる中間転写装置、画像形成装置及びプログラムを提供する。【解決手段】中間転写装置３４は、回転する中間転写ベルト４６と、二次転写部材５０に対向する位置で前記中間転写ベルが掛けられたバックアップ部材５４ａと、前記バックアップ部材５４ａの上流側に設けられ、厚紙が前記二次転写部材５０と前記中間転写ベルト４６との間に突入した際における前記中間転写ベルト４６の速度変動を抑制する速度変動抑制手段１０４と、を有する。【選択図】図７
2019184881.tif 000002
【特許請求の範囲】
【請求項１】
回転する中間転写ベルトと、
二次転写部材に対向する位置で前記中間転写ベルトが掛けられたバックアップ部材と、
前記バックアップ部材の上流側に設けられ、厚紙が前記二次転写部材と前記中間転写ベルトとの間に突入した際における前記中間転写ベルトの速度変動を抑制する速度変動抑制手段と、
を有する中間転写装置。
【請求項２】
前記速度変動抑制手段は、前記中間転写ベルトの下流側への移動に対して摩擦力を作用させる請求項１記載の中間転写装置。
【請求項３】
厚紙が前記二次転写部材と前記中間転写ベルトとの間に突入した際における厚紙による中間転写ベルトに対する押圧力よりも前記速度変動抑制手段を含めた中間転写ベルトの下流方向への摩擦力が大きい請求項２記載の中間転写装置。
【請求項４】
カラーの画像を形成する場合は、複数の一次転写部材を像保持体に接触させ、単色の画像を形成する場合は、一つの一次転写部材を像保持体に接触させるように前記一次転写部材を移動させる移動制御手段を有し、前記速度変動抑制手段は、前記移動制御手段に連動する請求項１から３いずれか記載の中間転写装置。
【請求項５】
回転する中間転写ベルトと、
二次転写部材に対向する位置で前記中間転写ベルトが掛けられたバックアップ部材と、
前記バックアップ部材の上流側に設けられ、厚紙に画像を形成する場合、前記中間ベルトに接触する接触部材と、
を有する中間転写装置。
【請求項６】
カラーの画像を形成する場合は、複数の一次転写部材を像保持体に接触させ、単色の画像を形成する場合は、一つの一次転写部材を像保持体に接触させるように前記一次転写部材に連結されているリンク機構を有し、前記接触部材は、前記リンク機構に連動する請求項５記載の中間転写装置。
【請求項７】
厚紙を含めて用紙を搬送する用紙搬送手段と、
回転する中間転写ベルトと、
前記中間ベルトに形成された画像を前記用紙搬送手段により搬送された用紙に転写する二次転写部材と、
前記二次転写部材に対向する位置で前記中間転写ベルトが掛けられたバックアップ部材と、
前記バックアップ部材の上流側に設けられ、前記用紙搬送手段により搬送された厚紙が前記二次転写部材と前記中間転写ベルトとの間に突入した際における前記中間転写ベルトの速度変動を抑制する速度変動抑制手段と、
を有する画像形成装置。
【請求項８】
厚紙を含めて用紙を搬送する用紙搬送手段と、
回転する中間転写ベルトと、
前記中間ベルトに形成された画像を前記用紙搬送手段により搬送された用紙に転写する二次転写部材と、
前記二次転写部材に対向する位置で前記中間転写ベルトが掛けられたバックアップ部材と、
前記バックアップ部材の上流側に設けられ、前記中間ベルトに接触する接触部材と、
前記用紙搬送手段により厚紙が搬送された場合に前記接触部材を前記中間転写ベルトに接触させるよう制御する制御手段と、
を有する画像形成装置。
【請求項９】
前記制御手段は、前記用紙搬送手段により厚紙以外の用紙が搬送された場合、前記接触部材を前記中間転写ベルトから非接触であるように制御する請求項８記載の画像形成装置。
【請求項１０】
前記制御手段は、カラーの画像を形成する場合、前記前記接触部材を前記中間転写ベルトから非接触であるように制御する請求項８又は９記載の画像形成装置。
【請求項１１】
厚紙を含めて用紙を搬送する用紙搬送手段と、
現像剤像を保持する複数の像保持体と、
回転する中間転写ベルトと、
前記像保持体に保持された現像剤像を前記中間転写ベルトに転写する複数の一次転写部材と、
前記一次転写部材により前記中間転写ベルトに転写された現像剤像を前記用紙搬送手段により搬送された用紙に転写する二次転写部材と、
前記二次転写部材に対向する位置で前記中間転写ベルトが掛けられたバックアップ部材と、
前記バックアップ部材の上流側に設けられた接触する接触部材と、
前記接触部材を前記中間転写ベルトに接触又は非接触とするよう制御する制御手段と、を有し、
前記制御手段は、前記用紙搬送手段により厚紙が搬送され、且つ一次転写部材の一つが一つの像保持体に対向し、他の一次転写部材が他の像保持体から離れた状態にある場合、前記接触部材を前記中間転写ベルトに接触させるように制御する
画像形成装置。
【請求項１２】
前記制御手段は、全ての一次転写部材が全ての像保持体に対向している場合、前記接触部材を前記中間転写ベルトから非接触とするように制御する請求項１２又は１３記載の画像形成装置。
【請求項１３】
単色の画像が形成されるか否かを判定するステップと、
単色の画像が形成される場合、厚紙が搬送されるか否かを判定するステップと、
単色の画像が形成され、且つ厚紙が搬送される場合、中間転写ベルトに接触部材を接触させるように制御するステップと、を有する
コンピュータに実行させるためのプログラム。
【発明の詳細な説明】
【技術分野】
【０００１】
本発明は、中間転写装置、画像形成装置及びプログラムに関する。
【背景技術】
【０００２】
特許文献１は、複数のローラに張り渡された無端状のベルトと、前記ローラの１つであって、前記ベルトを回転駆動する駆動ローラと、画像形成モードに基づいて前記ベルトに接触又は離間する接離部材と、前記接離部材の離間動作に連動して前記ベルトの裏面に面接触する面接触部材と、を備えることを特徴とするベルト駆動装置を開示する。
【０００３】
特許文献２は、中間転写ベルトの回転方向においてカラー用一次転写ローラよりも上流側に変位可能な第１の補助ローラを設けた画像形成装置を開示する。
【０００４】
特許文献３は、単色モードで画像形成を行うときに、複数色モードよりも中間転写ベルトの張力を低くするように、中間転写ベルトの張力を調整するベルト張力調整手段を有する画像形成装置を開示する。
【先行技術文献】
【特許文献】
【０００５】
【特許文献１】特開２０１６−１５６９８８号公報
【特許文献２】特開２０１７−１５７７５号公報
【特許文献３】特開２０１６−５７４５５号公報
【発明の概要】
【発明が解決しようとする課題】
【０００６】
ところで、中間転写装置においては、二次転写部材と中間転写ベルトとの間に記録媒体を通して記録媒体に画像を転写するようになっている。この場合、記録媒体が厚紙である場合には、厚紙が二次転写部材と中間転写ベルトとの間に突入する際に厚紙の先端が中間転写ベルトに当たって中間転写ベルトを下流側へ移動させる力が作用し、中間転写ベルトに速度変動を起こし、用紙先端部に濃淡を生じさせる。
なお、厚紙とは、普通紙よりも厚い紙をいい、普通紙の坪量が６４〜１０５ｇ/ｍ２であれば、坪量が１０６ｇ/ｍ２以上の用紙をいう。
【０００７】
本発明は、二次転写部材と中間転写ベルトとの間に厚紙が突入する際の中間転写ベルトの速度変動を抑制することができる中間転写装置、画像形成装置及びプログラムを提供することを目的としている。
【課題を解決するための手段】
【０００８】
請求項１に係る本発明は、回転する中間転写ベルトと、二次転写部材に対向する位置で前記中間転写ベルトが掛けられたバックアップ部材と、前記バックアップ部材の上流側に設けられ、厚紙が前記二次転写部材と前記中間転写ベルトとの間に突入した際における前記中間転写ベルトの速度変動を抑制する速度変動抑制手段と、を有する中間転写装置である。
なお、ここで、バックアップ部材とは、中間転写ベルトに掛けられた支持部材であって、中間転写ベルトを挟んで二次転写部材を押圧する部材である。
【０００９】
請求項２に係る本発明は、前記速度変動抑制手段は、前記中間転写ベルトの下流側への移動に対して摩擦力を作用させる請求項１記載の中間転写装置である。
【００１０】
請求項３に係る本発明は、厚紙が前記二次転写部材と前記中間転写ベルトとの間に突入した際における厚紙による中間転写ベルトに対する押圧力よりも前記速度変動抑制手段を含めた中間転写ベルトの下流方向への摩擦力が大きい請求項２記載の中間転写装置である。
【００１１】
請求項４に係る本発明は、カラーの画像を形成する場合は、複数の一次転写部材を像保持体に接触させ、単色の画像を形成する場合は、一つの一次転写部材を像保持体に接触させるように前記一次転写部材を移動させる移動制御手段を有し、前記速度変動抑制手段は、前記移動制御手段に連動する請求項１から３いずれか記載の中間転写装置である。
【００１２】
請求項５に係る本発明は、回転する中間転写ベルトと、二次転写部材に対向する位置で前記中間転写ベルトが掛けられたバックアップ部材と、前記バックアップ部材の上流側に設けられ、厚紙に画像を形成する場合、前記中間ベルトに接触する接触部材と、を有する中間転写装置ある。
【００１３】
請求項６に係る本発明は、カラーの画像を形成する場合は、複数の一次転写部材を像保持体に接触させ、単色の画像を形成する場合は、一つの一次転写部材を像保持体に接触させるように前記一次転写部材に連結されるリンク機構を有し、前記接触部材は、前記リンク機構に連動する請求項５記載の中間転写装置である。
【００１４】
請求項７に係る本発明は、厚紙を含めて用紙を搬送する用紙搬送手段と、回転する中間転写ベルトと、前記中間ベルトに形成された画像を前記用紙搬送手段により搬送された用紙に転写する二次転写部材と、前記二次転写部材に対向する位置で前記中間転写ベルトが掛けられたバックアップ部材と、前記バックアップ部材の上流側に設けられ、前記用紙搬送手段により搬送された厚紙が前記二次転写部材と前記中間転写ベルトとの間に突入した際における前記中間転写ベルトの速度変動を抑制する速度変動抑制手段と、を有する画像形成装置である。
【００１５】
請求項８に係る本発明は、厚紙を含めて用紙を搬送する用紙搬送手段と、回転する中間転写ベルトと、前記中間ベルトに形成された画像を前記用紙搬送手段により搬送された用紙に転写する二次転写部材と、前記二次転写部材に対向する位置で前記中間転写ベルトが掛けられたバックアップ部材と、前記バックアップ部材の上流側に設けられ、前記中間ベルトに接触する接触部材と、前記用紙搬送手段により厚紙が搬送された場合に前記接触部材を前記中間転写ベルトに接触させるよう制御する制御手段と、を有する画像形成装置である。
【００１６】
請求項９に係る本発明は、前記制御手段は、前記用紙搬送手段により厚紙以外の用紙が搬送された場合、前記接触部材を前記中間転写ベルトから非接触であるように制御する請求項８記載の画像形成装置である。
【００１７】
請求項１０に係る本発明は、前記制御手段は、カラーの画像を形成する場合、前記前記接触部材を前記中間転写ベルトから非接触であるように制御する請求項８又は９記載の画像形成装置である。
【００１８】
請求項１１に係る本発明は、厚紙を含めて用紙を搬送する用紙搬送手段と、現像剤像を保持する複数の像保持体と、回転する中間転写ベルトと、前記像保持体に保持された現像剤像を前記中間転写ベルトに転写する複数の一次転写部材と、前記一次転写部材により前記中間転写ベルトに転写された現像剤像を前記用紙搬送手段により搬送された用紙に転写する二次転写部材と、前記二次転写部材に対向する位置で前記中間転写ベルトが掛けられたバックアップ部材と、前記バックアップ部材の上流側に設けられた接触する接触部材と、前記接触部材を前記中間転写ベルトに接触又は非接触とするよう制御する制御手段と、を有し、前記制御手段は、前記用紙搬送手段により厚紙が搬送され、且つ一次転写部材の一つが一つの像保持体に対向し、他の一次転写部材が他の像保持体から離れた状態にある場合、前記接触部材を前記中間転写ベルトに接触させるように制御する画像形成装置である。
【００１９】
請求項１２に係る本発明は、前記制御手段は、全ての一次転写部材が全ての像保持体に対向している場合、前記接触部材を前記中間転写ベルトから非接触とするように制御する請求項１０又は１１記載の画像形成装置である。
【００２０】
請求項１３に係る本発明は、単色の画像が形成されるか否かを判定するステップと、単色の画像が形成される場合、厚紙が搬送されるか否かを判定するステップと、単色の画像が形成され、且つ厚紙が搬送される場合、中間転写ベルトに接触部材を接触させるように制御するステップと、を有するコンピュータに実行させるためのプログラムである。
【発明の効果】
【００２１】
請求項１、５，７−８，１１，１３に係る本発明によれば、二次転写部材と中間転写ベルトとの間に厚紙が突入する際の中間転写ベルトの速度変動を抑制することができる。
【００２２】
請求項２に係る本発明によれば、請求項１に係る発明の効果に加えて、摩擦力を作用させるもの以外と比較すると、構造を簡単にすることができる。
【００２３】
請求項３に係る本発明によれば、請求項２に係る本発明の効果に加えて、より速度変動を小さくすることができる。
【００２４】
請求項４に係る本発明によれば、請求項１から３いずれかの本発明の効果に加えて、移動制御手段とは別個に騒動変動抑制手段を動かすものと比較して、構造を簡単にすることができる。
【００２５】
請求項６に係る本発明によれば、請求項５に係る発明の効果に加えて、リンク機構とは別個に接触部材を動かすものと比較して、構造を簡単にすることができる。
【００２６】
請求項９、１０又は１２に係る本発明によれば、請求項８、９、１０又は１１に係る本発明の効果に加えて、常時、接触部材を中間転写ベルトに接触させいるものと比較して、中間転写ベルトとバックアップ部材との間の滑りを少なくすることができる。
【図面の簡単な説明】
【００２７】
【図１】本発明の実施形態に係る画像形成装置を示す概略図である。
【図２】本発明の実施形態に係る中間転写装置を示し、フルカラーモードの場合の側面図である。
【図３】本発明の実施形態に係る中間転写装置を示し、白黒モードの場合の側面図である。
【図４】本発明の実施形態に係る中間転写装置を示し、カム周辺の構成を示す平面図である。
【図５】本発明の実施形態に係る中間転写装置を示し、フルカラーモードの場合のリンク機構と接触部材との関係を示す拡大した側面図である。
【図６】本発明の実施形態に係る中間転写装置を示し、白黒モードの場合のリンク機構と接触部材との関係を示す拡大した側面図である。
【図７】本発明の実施形態に係る中間転写装置を示し、厚紙に画像を形成する場合のリンク機構と接触部材との関係を示す拡大した側面図である。
【図８】本発明の実施形態に係る中間転写装置を示し、接触部材の移動とラップ角の関係を示す側面図である。
【図９】本発明の実施形態に係る画像形成装置の制御部を示すブロック図である。
【図１０】本発明の実施形態に係る画像形成装置の制御部による制御動作例を示すフローチャートである。
【発明を実施するための形態】
【００２８】
次に、本発明の実施の形態について図面を参照して詳細に説明する。
図１は、本発明の実施形態に係る画像形成装置１０を示す。
【００２９】
画像形成装置１０は、画像形成装置本体１２を有し、この画像形成装置本体１２の内部に、被転写材としての用紙を供給する用紙供給装置１４と、用紙に転写する画像を形成する画像形成部１６と、定着装置１８とが搭載されている。また、画像形成装置１０は、画像形成装置本体１２の上部に用紙が排出される排出部２０を有し、用紙供給装置１４から排出部２０まで用紙を搬送する搬送路２２が設けられている。
【００３０】
用紙供給装置１４は、用紙を積層した状態で収納する用紙収納部２４と、この用紙収納部２４に収納された最上位の用紙を送り出す送り出しロール２６を有する。送り出しロール２６により送り出された用紙は、搬送ロール２８により搬送路２２に搬送される。
【００３１】
画像形成部１６は、例えば、イエロー（Ｙ）、マゼンタ（Ｍ）、シアン（Ｃ）、黒（
Ｋ）の４色に対応する画像形成ユニット３０と、光書込み装置３２と、中間転写装置３４とにより構成されている。
【００３２】
画像形成ユニット３０は、それぞれ交換部材として用いられ、画像形成装置本体１
２に対して着脱自在に設けられており、例えば、画像形成装置本体１２の後側（図１における右側）から順に、Ｙ、Ｍ、Ｃ、Ｋの順に並べられている。
【００３３】
画像形成ユニット３０は、例えばカラー画像を形成する電子写真方式のものである。画像形成ユニット３０は、それぞれユニット本体３６を備えている。このユニット本体３６内には、現像剤像を保持するドラム形状の像保持体３８、この像保持体３８を一様に帯電する帯電ロール４０、像保持体３８に書き込まれた潜像をトナーで現像する現像装置４２、及び像保持体３８に残留する廃現像剤を例えば掻き取って清掃する清掃装置４４が設けられている。
【００３４】
現像装置４２は、それぞれが収納するＹ、Ｍ、Ｃ、Ｋのトナーを用いて、対応する像保持体３８に形成された潜像を現像する。
【００３５】
また、光書込み装置３２は潜像形成装置として用いられ、例えば走査型のレーザ露光装置からなり、像保持体３８のそれぞれの表面に潜像を形成する。なお、光書込み装置３２は、他の実施例としてＬＥＤや面発光レーザ等を用いることができる。
【００３６】
中間転写装置３４は、中間転写ベルト４６、一次転写ロール４８、二次転写ロール５０及び清掃装置５２を有する。
【００３７】
中間転写ベルト４６は、無端状のベルト形状であり、４つの支持ロール５４ａ，５４ｂ，５４ｃ，５４ｄによって、図１に矢印aで示す方向に回転することができるように支持されている。また、支持ロール５４ａ，５４ｂ，５４ｃ，５４ｄのうち、図１の最も左側に配置された支持ロール５４ａは、モータ等の動力源（図示せず）に連結され、この動力源からの駆動伝達を受けて回転することで、中間転写ベルト３４が回転駆動するようになっている。
【００３８】
支持ロール５４ａは、二次転写ロール５０と中間転写ベルト４６を挟んで対向するように配置され、この二次転写ロール５０のバックアップ部材として機能し、二次転写ロール５０と支持ロール５４ａとで挟まれる部分が二次転写位置となっている。
【００３９】
一次転写ロール４８は、それぞれに対応する現像装置４２により像保持体３８の表面に形成されたトナー像を、中間転写ベルト４６に転写する。
【００４０】
また、二次転写ロール５０は、中間転写ベルト４６に転写されたＹ、Ｍ、Ｃ、Ｋのトナー像を、搬送された用紙に対して転写する。
【００４１】
清掃装置５２は、二次転写ロール５０で用紙に対して各色の現像剤像が転写された後に、中間転写ベルト４６の表面に残留する各色のトナーを掻き落とす掻き落とし部材５６を有する。そして、掻き落とし部材５４よって掻き落とされた現像剤は、清掃装置
５０の本体内に回収される。
【００４２】
搬送路２２は、主搬送路２２ａ、反転搬送路２２ｂ及び手差し搬送路２２ｃにより構成されている。主搬送路２２ａは、用紙供給装置１４から供給された用紙を画像形成部１４に搬送し、画像が形成された用紙を排出部２０に排出する。この主搬送路２２ａには用紙の搬送方向上流側から順に、搬送ロール２８、レジストロール５８、二次転写ロール５０、定着装置１８及び排出ロール６０が配置されている。
【００４３】
レジストロール５８は、用紙供給装置１４側から搬送された用紙の先端部を一時的に停止させ、画像形成されるタイミングと合致するように用紙を二次転写ロール５０側に向けて送り出す。
【００４４】
定着装置１８は、加圧ロール６２と、加圧ロール６２に対向する加熱ロール６４とを有している。これら加圧部６２と加熱部６４との間を通過する用紙を加熱しながら加圧することで用紙に転写されたトナー像を用紙に定着させる。
【００４５】
排出ロール６０は、定着装置１８により現像剤が定着された用紙を、排出部２０に排出する。また、この排出ロール６０は、逆転することにより用紙を反転させ、反転搬送路２２ｂに導く。反転搬送路２２ｂは、例えば二つの反転搬送ロール６６ａ，６６ｂが配置され、この反転搬送ロール６６ａ，６６ｂにより用紙をレジストロール５８の上流側へ搬送する。また、手差し搬送路２２ｃには、手差し搬送ロール６８が設けられ、この手差し搬送ロール６８により手差しされた用紙をレジストロール５８の上流側へ搬送する。厚紙は、例えばこの手差し搬送路２２ｃから供給される。
【００４６】
次に中間転写装置３４について詳述する。
図２から図４は、中間転写装置３４の内部構造を示す。
なお、図２及び図３には、各構成要素の色を区別するため図番にＹ，Ｍ，Ｃ，Ｋが付されている。
【００４７】
中間転写転写装置３４は、前述した画像形成装置本体１２に固定されたフレーム７０（図４に示す）を有する。このフレーム７０に前述した中間転写ベルト４６を張架する複数の支持ロール５４ａ〜５４ｄと、一次転写ロール４８（Ｙ，Ｍ，Ｃ，Ｋ）が回転自在に支持されている。
【００４８】
また、中間転写装置３４の内部には、移動制御手段を構成するリンク機構７２が設けられている。なお、フレーム７０及びリンク機構７２は、中間転写装置３４の左右両側（図２及び図３においては紙面に対して前後）に設けられている。
【００４９】
リンク機構７２は、一次転写ロール４８（Ｙ，Ｍ，Ｃ，Ｋ）を回転自在に支持する略Ｌ字形状の第１の腕部材７４（Ｙ，Ｍ，Ｃ，Ｋ）と、支持ロール５４ｃを回転自在に支持する略Ｌ字形状の第２の腕部材７６とを有する。また、リンク機構７２は、ブラックを除いた第１の腕部材７４（Ｙ，Ｍ，Ｃ）及び第２の腕部材７６を回動させるスライド部材７８を備えている。第１の腕部材７４（Ｙ，Ｍ，Ｃ，Ｋ）及び第２の腕部材７６は、フレーム７０にに回動支点８０（Ｙ，Ｍ，Ｃ，Ｋ），８２を中心にしてそれぞれ回動自在に取り付けられている。
【００５０】
また、第１の腕部材７４（Ｙ，Ｍ，Ｃ，Ｋ）の反一次転写ロール側端には、第１の付勢部材８４（Ｙ，Ｍ，Ｃ，Ｋ）が設けられ、一次転写ロール４８（Ｙ，Ｍ，Ｃ，Ｋ）を像保持体３８（Ｙ，Ｍ，Ｃ，Ｋ）側に押し付けるようになっている。また、第２の腕部材７６の反一次転写ロール側端には、第２の付勢部材８６が設けられ、支持ロール５４ｃを中間転写ベルト４６に押す付けるようになっている。また、支持ロール５４ｄを中間転写ベルト４６に押し付ける第３の付勢部材８８が設けられている。
【００５１】
スライド部材７８は、フレーム７０に前後方向へ移動自在に支持されている。即ち、スライド部材７８は、フレーム７０間に架け渡された駆動軸９０及び固定軸９２に長孔９４，９６を介して支持されている。
【００５２】
駆動軸９０には、スライド部材７８を中間転写装置３４の長手方向に沿って往復移動させるカム９８が取り付けられている。一方、スライド部材７８には、カム９８が当たるカムフォロワ部１００（図４に示す）が設けられている。この駆動軸９０には、フレーム７０に設けられたモータ等の駆動装置１０２が連結されている。
【００５３】
図２は、フルカラーモードを示している。フルカラーモードとは、ＹＭＣＫを用いて画像を形成する状態をいう。このフルカラーモードにあっては、全ての一次転写ロール４８（Ｙ，Ｍ，Ｃ，Ｋ）が中間転写ベルト４６を介して像保持体３８（Ｙ，Ｍ，Ｃ，Ｋ）に押し付けられている。
【００５４】
図３は、白黒（単色）モードを示している。白黒モードとはＫのみを用いて画像を形成する状態をいう。
【００５５】
フルカラーモードから白黒モードへの切替時には、図３に示されるように、カム９８が駆動装置１０２によって回転駆動され、カムフォロワ部１００を介してスライド部材７８が矢印Ｃ方向に沿って移動する。第１の腕部材７４（Ｙ，Ｍ，Ｃ）及び第２の腕部材７６は、スライド部材７８に連結されているので、スライド部材７８の矢印Ｃ方向に沿った移動に伴い図中反時計回り方向に回動する。そして、第１の腕部材７４（Ｙ，Ｍ，Ｃ）に回転自在に設けられたカラーの一次転写ロール４８（Ｙ，Ｍ，Ｃ）は、像保持体３８（Ｙ，Ｍ，Ｃ）及び中間転写ベルト４６から離間した退避位置へ移動する。また、第２の腕部材７６に回転自在に設けられた支持ロール５４ｃは、退避位置に移動する。
【００５６】
速度変動抑制手段を構成する接触部材１０４は、第１の支持ロール５４ａと第２の支持ロール５４ｂとの間に配置されている。この接触部材１０４は、厚紙に画像を形成する場合のみ中間転写ベルト４８に接し、厚紙が二次転写ロール５０と中間転写ベルト４６との間に厚紙が突入する際の中間転写ベルト４６の速度変動を抑制する。この接触部材１０４は、リンク機構７２と連動するようになっている。
【００５７】
図５から図７を用いて、速度変動抑制手段の詳細を説明する。
【００５８】
接触部材１０４は、第３の腕部１０６を介して回転軸１０８に連結されている。また、被押圧部１１０は、第４の腕部１１２を介して回転軸１０８に連結されている。被押圧部１１０は、前述したスライド部材７８の先端に当たっている。また、例えば第４の腕部１１２には、第４の腕部１１２を時計方向に付勢する第４の付勢部材１１４が設けられている。接触部材１０４は、回転軸１０５を介して第３の腕部１０６に対して回転自在としてもよいし、第３の腕部１０６に固定してもよい。
【００５９】
前述したカム９８は、フルカラーモード時には、図５に示すように、カム９８がカムフォロワ部１００に当たらない位置１にある。この位置１にあっては、接触部材１０４は中間転写ベルト４６には当たらず、非接触となっている。また、白黒モード時には、カム９８がカムフォロワ部１００に当たってスライド部材７８を位置ま２で移動させる。ただし、この位置２にあっては、接触部材１０４は中間転写ベルト４６には当たらず、非接触となっている。
【００６０】
そして、厚紙に画像を形成する場合は、さらにカム９８が該カム９８の回転中心から距離が大きい位置３まで回転する。カム９８が位置３まで回転すると、スライド部材７８がさらにｃ方向へ移動し、接触部材１０４が中間転写ベルト４６に当たり、中間転写ベルト４６を押し付けるようになる。このため、中間転写ベルト４６には摩擦力が作用するようになる。
【００６１】
ここで、図７に示すように、厚紙が二次転写ロール４８と中間転写ベルト４６との間に突入すると、中間転写ベルト４６には厚紙の突入により中間転写ベルト４６を下流方向への力Ｆｔが生じるものとする。一方、バックアップロールである支持ロール５４ａからは中間転写ベルト４６に対して摩擦力Ｆｂが作用し、接触部材１０４からは中間転写ベルト４６に対して摩擦力Ｆiが作用し、支持ロール５４ｂからは中間転写ベルト４６に対して摩擦力Ｆｓが作用し、さらに一次転写ロール４８（Ｋ）からは支持ロール５４ｂからは中間転写ベルト４６に対して摩擦力Ｆｋが作用するものとする。
【００６２】
この場合、次の不等式が成立するならば、厚紙が突入した場合でも中間転写ベルト４６の速度変動が無くなる。
Ｆｔ＜Ｆｂ＋Ｆｓ＋Ｆｋ＋Ｆi    ・・・・（１）
なお、厚紙による速度変動が許容範囲であれば、必ずしも式（１）を成立させる必要はない。
【００６３】
上記式（１）を成立させるために接触部材１０４による摩擦力を大きくしなければならない場合がある。
接触部材１０４による摩擦力を大きくするためには、接触部材１０４が第３の腕部１０６に固定されている場合は、接触部材１０４の表面の摩擦係数を高くすればよい。接触部材１０４の表面の摩擦係数を高くするには、例えば接触部材１０４の表面の凹凸を多くしたり、例えばゴムのように摩擦係数が高い材料から接触部材１０４を構成すればよい。また、接触部材１０４が第３の腕部１０６に対して回転自在に支持されている場合は、接触部材１０４と回転軸との間に摩擦係数の高いゴム等の部材を挟んでもよい。さらに、接触部材１０４と中間転写ベルト４６との間に静電界をかけて中間転写ベルト４６との間にクーロン力が作用するようにしてもよい。さらには、接触部材１０４の半径を大きくしたり、接触部材１０４の中間転写ベルト４６への押付力を増大させるようにしてもよい。
【００６４】
なお、厚紙以外に画像を形成する場合は、接触部材１０４を中間転写ベルト４６から非接触とする理由は次の通りである。
【００６５】
即ち、図８に示すように、接触部材１０４が中間転写ベルト４６から非接触の場合は、支持ロール５４ａに対する中間転写ベルト４６のラップ角がθ１であるが、接触部材１０４により中間転写ベルト４６を押し付けるようにすると、ラップ角がθ２に減少してしまう。ここで、ラップ角とは、中間転写ベルト４６が支持ロール５４ａに接触している角度である。ラップ角が小さくなると、支持ロール５４ａと中間転写ベルト４６との接触面積が少なくなり、支持ロール５４ａと中間転写ベルト４６との間に滑りを生じるおそれがある。特にフルカラーモードにおいては、一次転写ロール４８の全てが中間転写ベルト４６に接触しているので、接触部材１０４を中間転写ベルト４６に接触させなくても、中間転写ベルト４６の速度変動を抑制するには十分な摩擦力が確保される。
【００６６】
次に画像形成装置１０の制御について説明する。
図９は、画像形成装置１０の制御部１１６のハードウエアを示すブロック図である。
制御部１１６は、ＣＰＵ１１８、メモリ１２０、記憶装置１２２、表示操作インターフェイス１２４及びコントローラ１２６を有し、これらが制御バス１２８を介して接続されている。
【００６７】
ＣＰＵ１１８は、メモリ１２０に格納された制御プログラムに基づいて予め定められた処理を実行する。記憶装置１２２は例えばハードディスクから構成されている。表示操作インターフェイス１２４は、操作表示装置１３０からの操作を受け入れ、表示するようになっている。操作表示装置１３０は、画像形成装置１０の設定を入力できるようになっている。例えば、画像形成モードがカラーか白黒か、画像形成する用紙が普通紙か厚紙か等の設定を入力する。コントローラ１２６は、前述した駆動装置１０２を制御するようになっている。
【００６８】
図１０は、駆動装置１０２を制御するためのフローチャートである。
【００６９】
まずステップＳ１０において、操作表示装置１２８により設定されたモードがフルカラーモードか白黒モードかを判定する。このステップＳ１０において、フルカラーモードであると判定された場合はステップＳ１２に進み、前述したカム９８が位置１にあるように駆動装置１０２を制御し、処理を終了する。
【００７０】
ステップＳ１０において、フルカラーモードではない、即ち、白黒モードであると判定された場合は、ステップＳ１４に進む。このステップＳ１４においては、操作表示装置１２８により設定された用紙が厚紙か否かを判定する。
【００７１】
ステップＳ１４において、用紙が厚紙でない、即ち、普通紙であると判定された場合は、ステップＳ１６に進み、カム９８が位置２にあるように駆動装置１０２を制御し、処理を終了する。
【００７２】
一方、ステップＳ１４ｎｉおいて、用紙が厚紙であると判定された場合は、ステップＳ１８に進み、カム９８が位置３にあるように駆動装置１０２を制御し、処理を終了する。
【００７３】
なお、上記実施形態においては、接触部材１０４は、リンク機構７２と連動するように構成したが、本発明はこれに限定されず、接触部材１０４をリンク機構７２とは独立して駆動するようにしてもよい。
【符号の説明】
【００７４】
１０    画像形成装置
１６    画像形成部
３０    画像形成ユニット
３４    中間転写装置
３８    像保持体
４６    中間転写ベルト
４８    一次転写ロール
５０    二次転写ロール
５４ａ〜５４ｄ    支持ロール（５４ａはバックアップ部材）
７２    リンク機構
７８    スライド部材
９８    カム
１００    カムフォロワ部
１０２    駆動装置
１０４    接触部材
１１６    制御部
【図１】
2019184881.tif 000003
【図２】
2019184881.tif 000004
【図３】
2019184881.tif 000005
【図４】
2019184881.tif 000006
【図５】
2019184881.tif 000007
【図６】
2019184881.tif 000008
【図７】
2019184881.tif 000009
【図８】
2019184881.tif 000010
【図９】
2019184881.tif 000011
【図１０】
2019184881.tif 000012